(57)【特許請求の範囲】
【請求項１】
燃料ガスと燃焼用１次空気とを吸入混合して理論空気比以上の淡混合気を淡側炎口から噴出する淡側バーナと、
その両側で理論空気比以下の濃混合気を濃側炎口から噴出する濃側バーナとを一体的に備え、濃側炎口の周りから燃焼用２次空気を供給しつつ、これらの淡側バーナ及び濃側バーナを同時に燃焼させる燃焼装置において、
上記淡側バーナは、燃焼用１次空気と燃料ガスとを吸入する第１吸入口と、燃料ガスのみを吸入する第２吸入口とを備え、第１吸入口から燃焼用１次空気と燃料ガスとを吸入して混合し、その混合気を淡側炎口と濃側炎口へ分配して供給するとともに、第２吸入口から燃料ガスを吸入して濃側炎口への供給路に噴出させることを特徴とする燃焼装置。
【請求項２】
全体の燃料ガス量（濃側バーナの燃料ガス量と淡側バーナの燃料ガス量との合計）に対する上記濃側バーナの燃料ガス量の比を３０〜４０％に、
理論空気量に対する上記濃側バーナの１次空気量の比を５０〜８０％に、
理論空気量に対する上記淡側バーナの１次空気量の比を１４０〜１７０％に、
理論空気量に対する全体の２次空気量の比を３０〜５０％に設定したことを特徴とする請求項１記載の燃焼装置。
【発明の詳細な説明】
【０００１】
【発明の属する技術分野】
本発明は燃料過剰混合気（濃混合気）と空気過剰混合気（淡混合気）とを同時に燃焼させて窒素酸化物（ＮＯＸ  ）の生成を抑制する、いわゆる濃淡燃焼装置に関する。
【０００２】
【従来の技術】
従来から、低ＮＯＸ  を図る燃焼装置の一つとして濃淡燃焼装置が知られている。この装置は、複数の炎口のいくつかから空気比（理論空気量に対する実際の空気量の比）の低い濃混合気を、他の炎口から空気比の高い淡混合気をそれぞれ同時に噴出して燃焼させるものである。
【０００３】
例えば、特開平６−３４７０１３号公報には、図１３に示すように、中央の仕切り板７５を挟んで片側に濃側バーナ６０と、もういっぽうの片側に淡混合ユニット７０を一体的に形成したバーナユニット８０を間隔をあけて並設したものが開示されている。濃側バーナ６０は、燃料ガスと燃焼用空気とを吸入混合して空気比の低い濃混合気を濃側炎口６３より噴出し、淡混合ユニット７０は、濃側炎口６３の隣に設けられた淡側炎口７３から濃混合気より空気比の高い淡混合気を噴出する。この結果、各濃側バーナ６０の濃側炎口６３から濃混合気が噴出すると同時に、その濃側バーナ６０の間の淡側炎口７３から淡混合気が噴出し濃淡燃焼が行なわれる。そして、濃側炎口６３からの炎の基部では酸素不足となり、上方では淡側炎口７３からの炎の排ガスにより酸素不足となり、ＮＯＸ  の生成が抑制される。一方、淡側炎口７３からの淡火炎７６は、燃料ガスが希薄なため火炎温度が低下してＮＯＸ  の生成が抑制され、これらの相乗的効果によって全体としての低ＮＯＸ  が図られる。
しかも、淡混合ユニット７０は、濃側バーナ６０と一体的に形成されているため、濃側バーナ６０の間に淡混合ユニット７０を個々に配置する必要がなく、濃側バーナ６０の配列間隔を狭くすることができるという優れたものであった。
また、特開平７−４２９１７号公報には、図１４に示すように、第１バーナ５の第１炎口６の両側に第１炎口６を挟んだ第２炎口８を形成する第２バーナ７を備え、第２バーナ７は、第１バーナ５と独立して、燃料ガスおよび１次空気を吸入し第１炎口６の両側に設けられた第２炎口８に供給する共通吸入口９を、第１バーナの吸入口３上部に設けたガス機器用バーナ１００が示されている。ガス機器用バーナ１００は、第１炎口６より淡混合気を、第２炎口８より濃混合気を噴出し、第２炎口８の周りから２次空気を供給されて濃淡燃焼を行なう。
【０００４】
【発明が解決しようとする課題】
しかしながら、特開平６−３４７０１３号公報に示されたものでは、各バーナユニット８０と２次空気との接触が少ないため、特に淡混合ユニット７０の１次空気比（以下λＬ  と表現する）を高めの設定にせざるをえず１次空気比の変動に対する燃焼良好域が狭かった。例えば、図１１に示すように、淡混合気の１次空気比の変化に対する燃焼排ガス中のＣＯ／ＣＯ２  の変化をテストしグラフにすると、燃焼良好域は、λＬ  ＝１．２〜２．２（ＣＯ／ＣＯ２  ＜０．００５）である。ＮＯＸ  も考慮するとλＬ  ＞１．８（ＮＯＸ  ＜５０ｐｐｍ）である。これらのことから、λＬ  を１８０％以上の設定（１．８＜λＬ  ，λＬ  ＝１．９程度）にしていた。そのため、λＬ  が燃焼限界に近く、燃料ガス組成や燃料ガス量あるいは燃焼用空気量のちょっとした変動により安定した燃焼が確保できなかった。
また、特開平７−４２９１７号公報に示されたものでは、第２炎口８に２次空気を供給することにより安定燃焼を確保し各バーナの空燃比の調整が容易であるが、独立した２個の吸入口を設け、そこから燃料ガスと燃焼用１次空気とを混合しながら供給するため、どうしても充分に混合するための混合距離が長くなってしまっていた。そのため、全体の大きさ（特に図１４に示す幅Ｌ）がコンパクトにできなかった。
本発明の燃焼装置は上記課題を解決し、１次空気比の設定を変更して燃焼良好域を広げるとともに、燃料ガスと空気の混合方法を改善しコンパクトな燃焼装置を提供することを目的とする。
【０００５】
【課題を解決するための手段】
上記課題を解決する本発明の請求項１記載の燃焼装置は、
燃料ガスと燃焼用１次空気とを吸入混合して理論空気比以上の淡混合気を淡側炎口から噴出する淡側バーナと、
その両側で理論空気比以下の濃混合気を濃側炎口から噴出する濃側バーナとを一体的に備え、濃側炎口の周りから燃焼用２次空気を供給しつつ、これらの淡側バーナ及び濃側バーナを同時に燃焼させる燃焼装置において、
上記淡側バーナは、燃焼用１次空気と燃料ガスとを吸入する第１吸入口と、燃料ガスのみを吸入する第２吸入口とを備え、第１吸入口から燃焼用１次空気と燃料ガスとを吸入して混合し、その混合気を淡側炎口と濃側炎口へ分配して供給するとともに、第２吸入口から燃料ガスを吸入して濃側炎口への供給路に噴出させることを要旨とする。
【０００６】
本発明の請求項２記載の燃焼装置は、請求項１記載の燃焼装置において、
全体の燃料ガス量（濃側バーナの燃料ガス量と淡側バーナの燃料ガス量との合計）に対する上記濃側バーナの燃料ガス量の比を３０〜４０％に、
理論空気量に対する上記濃側バーナの１次空気量の比を５０〜８０％に、
理論空気量に対する上記淡側バーナの１次空気量の比を１４０〜１７０％に、理論空気量に対する全体の２次空気量の比を３０〜５０％に設定したことをことを要旨とする。
【０００７】
上記構成を有する本発明の請求項１記載の燃焼装置は、淡側バーナの両側に濃側バーナが一体的に形成され、濃淡それぞれのバーナの炎口から空気比の異なった混合気を噴出して同時に燃焼する。淡側バーナは、第１吸入口より燃焼用１次空気と燃料ガスとを吸入して混合し、その混合気を淡側炎口と濃側炎口へ分配して供給するとともに、第２吸入口から燃料ガスを吸入して濃側炎口への供給路に噴出させる。第２吸入口より濃側炎口への供給路までの区間は、燃料ガスを通過させるだけであり、空気等を混合する必要がないため、短くて済む。つまり、濃側バーナにおいては、ある程度混合された混合気に、淡側バーナの第２吸入口より濃度を高めるための燃料を追加するので、その燃料通過区間を極力短くでき、全体をコンパクトにできる。
【０００８】
本発明の請求項２記載の燃焼装置は、濃側バーナと淡側バーナの燃料ガスの割合，１次空気量の割合，２次空気量の割合を適切な範囲に設定調節するので、燃焼が安定し、燃焼排ガス中の有害物質の発生も少ない。
【０００９】
【発明の実施形態】
以上説明した本発明の構成・作用を一層明らかにするために、以下本発明の燃焼装置の好適な実施例について説明する。
図１は、一実施例としての燃焼装置を利用したバーナ１の概略構成を示す。バーナ１は、燃焼装置である複数のバーナユニット１０を所定間隔をあけて一列に並べ、その後方に設けられたノズル１１，ノズル１２からそれぞれ燃料ガスが供給され、同時にノズル１１の周りから燃焼用１次空気もバーナユニット１０内に吸込まれ、上部の炎口から混合気が噴出して火炎を形成し、その火炎にはバーナユニット１０間を上昇する２次空気が供給されるように構成されている。ノズル１１，ノズル１２は、各バーナユニット１０に対応して、所定間隔をあけて２列に並べられる。
【００１０】
バーナユニット１０は、図２，図３に示すように、プレスで左右対称形の凹部を形成した１枚のステンレス製の板を中央で折曲げて重ね合わせ部屋を形成した淡側バーナ２０と、その淡側バーナ２０を挟んで両側面にさらに同様のステンレス製の板を重ね合わせ部屋を形成した濃側バーナ３０と、淡側バーナ２０の炎口部２５に挿入する炎口板５０から構成される。
淡側バーナ２０は、図４に示すような淡混合ユニット右板２１Ｒ，淡混合ユニット左板２１Ｌを中央で折曲げて左右対称に重ね合わせ混合気流路及び燃料ガス流路となる部屋（取入れ口２２，スロート部２３，混合室２４，淡炎口部２５）を一体的に形成したものであるが、左右対称であるために淡混合ユニット右板２１Ｒについて説明する。また、判りやすくするために、重ね合わされる平板部をハッチングで表示する。
淡側バーナ２０の側面を形成する淡混合ユニット右板２１Ｒは、平板部右２９Ｒを残してプレスにより凹部を形成し、側面から見て左下部に設けられ燃料ガスと燃焼用１次空気を吸込むロート形状の取入れ口右２２Ｒと、その下流で流路を絞るスロート部右２３Ｒと、Ｌ字状に折れ曲がり取入れ口よりの燃料ガスと燃焼用１次空気とを混合する混合室右２４Ｒと、上部に開口し混合気を噴出する淡炎口部右２５Ｒとを備える。スロート部２３Ｒの下流近傍には、貫通した小孔の混合気噴出孔右２８Ｒが数個設けられる。また、取入れ口右２２Ｒの上部には、左端へ開口した溝で形成される燃料口右２６Ｒが設けられ、燃料口右２６Ｒの側面には、小孔のガス噴出孔右２７Ｒが数個貫通する。
淡混合ユニット左板２１Ｌは、平板部左２９Ｌを残し、これらの凹部（取入れ口左２２Ｌ，スロート部左２３Ｌ，混合室左２４Ｌ，淡炎口部左２５Ｌ，燃料口左２６Ｌ）を淡混合ユニット右板２３Ｒと左右対称の形状に形成し、混合気噴出孔左２８Ｌ，ガス噴出孔左２７Ｌも設ける。
炎口板５０は、図６に示すように、左右に突出した２ヵ所の耳５０ｂとその間に等間隔で形成した３ヵ所の突起５０ａを有する２枚の板と突起５０ａに対応した溝をもつ２枚の板とを、突起５０ａとその溝とを重ね合わせて作成する。
【００１１】
濃側バーナ３０は、図５に示すような左右対称の濃混合ユニット右板３１Ｒ，濃混合ユニット左板３１Ｌを中央で３箇所の連結板３２により一体に連結され、連結板３２を底にして「コ」の字状に折曲げてから淡側バーナ２０の両側面に重ね合わせ混合気流路となる部屋をそれぞれ形成する。説明を判りやすくするために、淡側バーナ２０の説明と同様に、まず部屋の側面形状を構成する濃混合ユニット右板３１Ｒの形状を説明する。
濃混合ユニット右板３１Ｒは、平板部右３９Ｒ（図中ハッチングで表示）を残して凹部を形成し、凹部は、淡混合ユニット右板２１Ｒの混合気噴出孔右２８Ｒから噴出する混合気の通路を形成する混合気導入室右３５Ｒと、その上部で淡混合ユニット右板２１Ｒのガス噴出孔右２７Ｒから噴出するガスと下からの混合気とを通過させるガス導入室右３６Ｒと、同じく隙間を作り上部に開口して混合気を噴出する濃炎口部右３７Ｒとを備える。
いっぽう、濃混合ユニット左板３１Ｌは、濃混合ユニット右板３１Ｒと左右対称の形状で、平板部左３９Ｌ（図中ハッチングで表示）を残して凹部を形成され、凹部は、混合気導入室左３５Ｌと、ガス導入室左３６Ｌと、濃炎口部左３７Ｌとを備える。
【００１２】
バーナユニット１０は（図２，図３，図４参照）、まず、淡混合ユニット右板２１Ｒ及び淡混合ユニット左板２１Ｌを中央で折曲げて重ね合わせ平板部右２９Ｒ及び平板部左２９Ｌをスポット溶接して淡側バーナ２０を形成し、炎口部２５には、上部の開口から炎口板５０を挿入する。さらに連結板３２を底にして「コ」の字状に折曲げた濃側バーナ３０を外から重ね合せ、平板部右３９Ｒ及び平板部左３９Ｌをスポット溶接して作成する。こうして、淡側バーナ２０には、平板部２９を残し、取入れ口２２，スロート部２３，混合室２４，淡炎口部２５，燃料口２６が形成され、濃側バーナ３０には、混合気導入室右３５Ｒ，混合気導入室左３５Ｌ，ガス導入室右３６Ｒ，ガス導入室左３６Ｌ，濃炎口部右３７Ｒ，濃炎口部左３７Ｌが形成される。
淡側バーナ２０及び濃側バーナ３０の組立てにおいて、それぞれ１枚の板を中央より折曲げてからスポット溶接するため、左右の淡混合ユニット右板２１Ｒ，淡混合ユニット左板２１Ｌ及び濃混合ユニット右板３１Ｒ，濃混合ユニット左板３１Ｌの位置決めが簡単で製造が容易である。
【００１３】
バーナユニット１０への燃料ガス及び燃焼用空気の供給は、次のように行なわれる（図２，図３，図４参照）。まず、淡側バーナ２０では、ノズル１１から取入れ口２２に向け、燃料ガスが噴出される。噴出された燃料ガスは、途中が狭められたスロート部２３を通過し混合室２４へ入る。この時、同時に、ノズル１１と取入れ口２２との隙間から燃焼用１次空気が吸引され、スロート部２３を通り混合室２４へ入る。燃料ガスと燃焼用１次空気の混合気（以下淡混合気と呼ぶ）は、混合室２４で充分に混合され淡炎口部２５の炎口板５０を通り上部へ噴出する。また、淡混合気の一部は、途中で、混合気噴出孔右２８Ｒ，混合気噴出孔左２８Ｌより濃側バーナ３０の混合気導入室右３５Ｒ，混合気導入室左３５Ｌへ入る。
濃側バーナ３０へは、さらにノズル１０からの燃料ガスも供給される（図５も参照）。ノズル１０から、まず淡側バーナ２０の燃料口２６へ燃料ガスが噴出され、ガス噴出孔右２７Ｒ，ガス噴出孔左２７Ｌを通り濃側バーナ３０のガス導入室右３６Ｒ，ガス導入室左３６Ｌへ入る。ノズル１０と燃料口２６との間には隙間を設けず、１次空気の吸引は行なわれない。
濃側バーナ３０では、淡側バーナ２０からの混合気が混合気噴出孔右２８Ｒ，混合気噴出孔左２８Ｌより混合気導入室右３５Ｒ，混合気導入室左３５Ｌへ入り、ガス導入室右３６Ｒ，ガス導入室左３６Ｌを通ってから、濃炎口部右３７Ｒ，濃炎口部左３７Ｌより上部へ噴出する。この時、ガス導入室右３６Ｒ，ガス導入室左３６Ｌでは、さらにノズル１０からの燃料ガスも追加して供給される。つまり、ノズル１０から淡側バーナ２０の燃料口２６へ燃料ガスが噴出され、ガス噴出孔右２７Ｒ，ガス噴出孔左２７Ｌを通り濃側バーナ３０のガス導入室右３６Ｒ，ガス導入室左３６Ｌへ入る。燃料口２６からは、１次空気の吸引を行なわないので、濃炎口部右３７Ｒ，濃炎口部左３７Ｌより噴出する混合気（以下濃混合気と呼ぶ）は、淡混合気に燃料ガスを追加した分、燃料ガスの濃度が濃くなる。また、この燃料口２６とガス噴出孔右２７Ｒ，ガス噴出孔左２７Ｌとの間は燃料ガスが通過するのみで何も混合するということがないので、極力距離を短くすることができる。
【００１４】
次に、この燃焼装置１を燃焼させた時の窒素酸化物（ＮＯＸ  ）及び一酸化炭素（ＣＯ）の発生量と空気比の関係について説明する。
図９，図１０は、横軸が空気比を、縦軸がＮＯＸ  ，ＣＯ／ＣＯ２  を表し、空気比の変化に対して両者の発生量変化を表したグラフである。濃混合気の空気比を０．６に、濃側バーナガス量：淡側バーナガス量＝３：７に、２次空気比を０．４５に設定し、図９が淡混合気の空気比（λＬ  ）のみを変化させ、図１０が全体の空気比（λＴ  ）のみを変化させたグラフである。
淡混合気の空気比λＬ  を変化させると、図９に示すように、極端にλＬ  が小さい区間（λＬ  ＝０．７以下）と極端にλＬ  が大きい区間（λＬ  ＝２．２以上）において、ＣＯ／ＣＯ２  が増大（ＣＯ／ＣＯ２  ＝０．００５以上）し、λＬ  ＝１．４付近でＣＯ／ＣＯ２  が最小で安定する。ＮＯＸ  は、λＬ  を低下させると徐々に増大し、λＬ  ＝１．４以下で５０ｐｐｍを越える。
全体の空気比λＴ  を変化させると、図１０に示すように、極端にλＴ  が小さい区間（λＴ  ＝１．４以下）と極端にλＴ  が大きい区間（λＴ  ＝３．０以上）において、ＣＯ／ＣＯ２  が増大（ＣＯ／ＣＯ２  ＝０．００５以上）し、λＴ  ＝２．２５付近でＣＯ／ＣＯ２  が最小（ＣＯ／ＣＯ２  ＝０．００１）で安定する。ＮＯＸ  は、λＴ  を低下させると徐々に増大し、λＴ  ＝１．８以下で５０ｐｐｍを越える。
ちなみに、同様のテストを従来の燃焼装置（特開平６−３４７０１３号公報に示された図１３の構成をもつ燃焼装置）において行なうと、図１１，図１２に示すようなグラフが得られる。
淡混合気の空気比λＬ  を変化させると、図１１に示すように、λＬ  が小さい区間（λＬ  ＝１．２以下）とλＬ  が大きい区間（λＬ  ＝２．２以上）において、ＣＯ／ＣＯ２  が増大（ＣＯ／ＣＯ２  ＝０．００５以上）し、λＬ  ＝１．７付近でＣＯ／ＣＯ２  が最小となる。安定区間は存在しない。ＮＯＸ  は、λＬ  の低下とともに徐々に増大し、λＬ  ＝１．８以下で５０ｐｐｍを越える。
全体の空気比λＴ  を変化させると、図１２に示すように、λＴ  が小さい区間（λＴ  ＝１．４以下）とλＴ  が大きい区間（λＴ  ＝２．２以上）において、ＣＯ／ＣＯ２  が増大（ＣＯ／ＣＯ２  ＝０．００５以上）し、λＴ  ＝１．８付近でＣＯ／ＣＯ２  が最小（ＣＯ／ＣＯ２  ＝０．００２）となる。安定区間は存在しない。
ＮＯＸ  は、λＴ  を低下させると徐々に増大し、λＴ  ＝１．８以下で５０ｐｐｍを越える。
【００１５】
実施例のバーナ１とこの従来例とを比較すると、バーナ１は、濃側バーナ３０と淡側バーナ２０において、濃側炎口の周りから２次空気を供給されて同時に燃焼するので、特に淡混合気においては１次空気比を極端に高くする必要はなく２次空気と合わせて良好燃焼させることができる。そのため、特に淡側バーナ２０において、従来のように１次空気の比率が極めて高い場合と比較して燃焼良好域の空気比幅の範囲が空気比の低い側に拡大し、２次空気をも含めた全体の空気の混合比変更幅に余裕ができるとともに、燃焼良好域も拡大する。
例えば、全体の空気比λＴ  の変化における燃焼良好幅ΔλＴ  がバーナ１でΔλＴ  ＝１．６に対し、従来例でΔλＴ  ＝０．８と狭く、ＣＯ／ＣＯ２  についても、実施例が最小でＣＯ／ＣＯ２  ＝０．００１に対し従来例が最小でＣＯ／ＣＯ２  ＝０．００２と多い。淡混合気の空気比λＬ  についても同じような相違がある。また、λＬ  の設定においては、ＮＯＸ  及びＣＯ／ＣＯ２  が少ない点を選択し、従来例でλＬ  ＝１．９、バーナ１でλＬ  ＝１．４に設定する。しかしながら、従来例のλＬ  ＝１．９の設定は、可燃空気比の上限λＬ  ＝２．２に近いので、ちょっとした空気比の変動で火炎がリフトしたり、あるいは燃焼限界を越えＣＯ／ＣＯ２  が急増してしまう。いっぽう、バーナ１のλＬ  ＝１．４の設定は、可燃空気比の変化幅の中央であり、空気比の変化に対してもリフトしずらく燃焼状態が悪くならない。
また、全体の空気比λＴ  を大きくしても良好燃焼できるため、特に小ガス量で燃焼させた時にλＴ  を大きくし、露点を上げることができる。そのため、熱交換器に付着するドレン発生が減少し耐久性が向上する。
【００１６】
また、特開平７−４２９１７号公報に示された燃焼装置と比較すると、その燃焼装置が燃料口より炎口までの距離が長いのに対し、本実施例のバーナ１においては、濃側炎口から噴出する濃混合気が、淡混合ユニット２１から供給された混合気にさらに燃料口２６より燃料ガスを追加して混合され燃料ガス濃度を高めて供給されるので、（空気等を混合する必要がないため）燃料ガス通路長さを短くでき、全体がコンパクトになる。その結果、特に図１に示す全体の幅Ｌを短くできる。
なお、従来例との比較において、実施例は、濃混合気の空気比を０．６に、濃側バーナガス量：淡側バーナガス量＝３：７に、２次空気比を０．４５に設定して淡混合気の空気比（λＬ  ）あるいは全体の空気比（λＴ  ）のみを変化させたグラフを用いて説明したが、それに限らず様々なテストを行ない、良好な燃焼範囲が決定された。それは、
濃側バーナのガス量比率ＩＲ  （濃側バーナの燃料ガス量／全体の燃料ガス量）＝３０〜４０％
淡側バーナのガス量比率ＩＬ  （淡側バーナの燃料ガス量／全体の燃料ガス量）＝６０〜７０％
濃側バーナの空気比λＲ  （濃側バーナの１次空気比／理論空気量）＝５０〜８０％
淡側バーナの空気比λＬ  （淡側バーナの１次空気比／理論空気量）＝１４０〜１７０％
２次空気比λ２  （全体の２次空気量／理論空気量）＝３０〜５０％
である。
ただし
全体の燃料ガス量＝濃側バーナの燃料ガス量＋淡側バーナの燃料ガス量
λＴ  ＝λＲ  ×ＩＲ  ＋λＬ  ×ＩＬ  ＋λ２
この範囲では、ＣＯ／ＣＯ２  ≦０．００５（当社における安全基準値）という結果が得られた。
以上本発明の実施例について説明したが、本発明はこうした実施例に何等限定されるものではなく、本発明の要旨を逸脱しない範囲において、種々なる態様で実施し得ることは勿論である。例えば、実施例では、淡側バーナ２０及び濃側バーナ３０の組立てにおいて、それぞれ１枚の板を中央より折曲げてからスポット溶接したが、左右の淡混合ユニット右板２１Ｒ，淡混合ユニット左板２１Ｌ及び濃混合ユニット右板３１Ｒ，濃混合ユニット左板３１Ｌを別体で作成し、位置決めをしながらスポット溶接をしてもよい。この場合は、プレス型が大型にならず型費が安価である。
また、炎口板５０は、図２及び図６に示すように、上面から見てほぼ同一形状のスリットが形成されるものであったが、図７あるいは図８に示すように、大きさの違うスリットの組み合わせや波形状の炎口を形成するものであってもよい。
【００１７】
【発明の効果】
以上詳述したように、本発明の請求項１記載の燃焼装置によれば、濃側バーナが、淡側バーナから、ある程度混合された混合気を供給され、その混合気に燃料口から濃度を高めるための燃料をさらに追加して混合するので、淡側バーナにおける燃料通過区間の距離を極力短くできる。そのため、全体をコンパクトにできる。
【００１８】
請求項２記載の燃焼装置によれば、燃焼条件を適切な範囲に設定調節するので、燃焼が安定し、燃焼排ガス中の有害物質の発生も少ない。
【図面の簡単な説明】
【図１】一実施例としての燃焼装置の概略構成図である。
【図２】バーナユニット１０の上面図及び側面図である。
【図３】バーナユニット１０の断面図及び背面図である。
【図４】淡側バーナ２０の部品図である。
【図５】濃側バーナ３０の部品図である。
【図６】炎口板５０の斜視図である。
【図７】バーナユニットの上面図である。
【図８】バーナユニットの上面図である。
【図９】実施例における空気比の変化に対してＮＯＸ  及びＣＯ／ＣＯ２  の発生量変化を表したグラフである。
【図１０】実施例における空気比の変化に対してＮＯＸ  及びＣＯ／ＣＯ２  の発生量変化を表したグラフである。
【図１１】従来例における空気比の変化に対してＮＯＸ  及びＣＯ／ＣＯ２  の発生量変化を表したグラフである。
【図１２】従来例における空気比の変化に対してＮＯＸ  及びＣＯ／ＣＯ２  の発生量変化を表したグラフである。
【図１３】従来例としての燃焼装置の概略構成図である。
【図１４】従来例としての燃焼装置の概略構成図である。
【符号の説明】
１  バーナ
１０  バーナユニット
１１，１２  ノズル
２０  淡側バーナ
２１Ｒ  淡混合ユニット右板
２１Ｌ  淡混合ユニット左板
２２  取入れ口
２３  スロート部
２４  混合室
２５  淡炎口部
２６  燃料口
２９，３９  平板部
３０  濃側バーナ
３１Ｒ  濃混合ユニット右板
３１Ｌ  濃混合ユニット左板
３２  連結板
３５  混合気導入室
３６  ガス導入室
３７  濃炎口部
【図１】
0003558461.tif 000002
【図２】
0003558461.tif 000003
【図３】
0003558461.tif 000004
【図６】
0003558461.tif 000005
【図４】
0003558461.tif 000006
【図５】
0003558461.tif 000007
【図７】
0003558461.tif 000008
【図８】
0003558461.tif 000009
【図９】
0003558461.tif 000010
【図１０】
0003558461.tif 000011
【図１１】
0003558461.tif 000012
【図１２】
0003558461.tif 000013
【図１３】
0003558461.tif 000014
【図１４】
0003558461.tif 000015